(57)【要約】【課題】ウエザーストリップの下辺部に位置決め突起部があるために、パーテイションガラスを傾けた状態で組み付けざるを得ない場合でも、ガラス組付時の作業性を悪化させることがないウエザーストリップを提供する。【解決手段】ガラス７を傾けた状態で位置決め突起部１３の先端と同一高さ位置となるガイド面１４をウエザーストリップ８の下辺部８ｄに形成し、ガラス組付時にチャンネル部９上にてガイド面１４を滑らせる。ガイド面１４と上部隅部の頂部１５とがガイド面１４の直角方向でなす第１の対角線方向距離Ｌ１をガラス収容部５ｂの有効受容高さ寸法よりも予め小さく設定しておく。【選択図】図９
2008110672.tif 000002
【特許請求の範囲】
【請求項１】
略矩形状のパーテイションガラスの周囲に予め閉ループ状に装着された上で、自動車用ドアのウエスト部のチャンネル部とドアサッシュおよびパーテイションサッシュとで囲まれるパーテイションガラス収容部にパーテイションサッシュ未装着状態で嵌め込まれるガスケットタイプのパーテイションウエザーストリップの構造であって、
上記チャンネル部に受容されることになる下辺部にはそのチャンネル部の端部に係止される位置決め突起部を下方に向けて形成する一方、
上記下辺部の前端部には下面が前方側に向かって上り勾配で傾斜したガイド部を形成するとともに、
上記矩形の対角線上においてガイド部と対をなす上部隅部の頂部と当該ガイド部とが上記対角線方向でなす第１の対角線方向距離をパーテイションガラス収容部の有効受容高さ寸法よりも小さく設定し、
さらに上記上部隅部の頂部と位置決め突起部の先端とが上記対角線方向でなす第２の対角線方向距離が上記第１の対角線方向距離を越えないように設定してあることを特徴とする自動車用ドアのパーテイションウエザーストリップ。
【請求項２】
上記下辺部の前端部には上記ガイド部として下面が前方側に向かって上り勾配で傾斜したガイド面を形成するとともに、
上記ガイド面と上部隅部の頂部とがガイド面の直角方向でなす第１の対角線方向距離をパーテイションガラス収容部の有効受容高さ寸法よりも小さく設定し、
さらに上記位置決め突起部の先端がガイド面の延長線よりも下方に突出しないように設定してあることを特徴とする請求項１に記載の自動車用ドアのパーテイションウエザーストリップ。
【請求項３】
上記位置決め突起部の先端がガイド面の延長線上に位置するように設定してあることを特徴とする請求項２に記載の自動車用ドアのパーテイションウエザーストリップ。
【請求項４】
上記位置決め突起部の先端にガイド面と同一平面上に位置することになる角度規制部を形成してあることを特徴とする請求項３に記載の自動車用ドアのパーテイションウエザーストリップ。
【発明の詳細な説明】
【技術分野】
【０００１】
本発明は、自動車用ドアのパーテイションウエザーストリップ、例えば乗用車のリアドア後部のパーテイションガラスに使用されるガスケットタイプ（いわゆる嵌め殺しタイプ）のパーテイションウエザーストリップに関するものである。
【背景技術】
【０００２】
自動車用ドアにおけるパーテイションガラス用のウエザーストリップの取り付け構造として、例えば特許文献１に記載のように、上記ウエザーストリップの下辺部を受容することになるドア本体のウエスト部にチャンネル状のブラケットを設けておくようにしたもののほか、特許文献２に記載のように、ウエザーストリップの下辺部に係止突起を形成する一方、上記ウエザーストリップの下辺部を受容することになるドア本体のウエスト部には係止穴付きのチャンネル状のブラケットを設けておき、ドアに対するウエザーストリップの正規組付状態において上記係止突起を係止穴に係止させてウエザーストリップの位置決めを行うようにしたものがある。
【特許文献１】特開２００３−１３６９６３号公報
【特許文献２】特開平８−１５６５９１号公報
【発明の開示】
【発明が解決しようとする課題】
【０００３】
上記のようなパーテイションガラスの組付方法として、パーテイションガラスの周囲にウエザーストリップを予め閉ループ状に装着しておき、ドア本体のウエスト部とサッシュ上辺部との間にパーテイションガラスを正立状態となるように掛け渡した上で、そのパーテイションガラスを前後方向にスライドさせることで正規組付位置に納めることが行われるが、特許文献２に記載のようにウエザーストリップの下辺部に係止突起が形成されていると、上記係止突起とドアパネルとの干渉のためにパーテイションサッシュを組み付けが困難となることから、パーテイションガラスを前後方向で傾けて斜めの状態で組み付けることが行われる。
【０００４】
ところが、パーテイションガラスを傾けるとそのパーテイションガラス自体の姿勢が安定化せず、例えばパーテイションガラスをスライドさせようとしてもスムーズに動かず作業性が極端に悪くなるほか、係止突起をブラケット側の係止穴に係止させる作業もやりにくいものとならざるを得ない。
【０００５】
本発明はこのような課題に着目してなされたもので、とりわけ上記のようにパーテイションガラスを傾けた状態で組み付けざるを得ない場合であっても、ガラス組付時の作業性を悪化させることがないようにしたパーテイションウエザーストリップの構造を提供しようとするものである。
【課題を解決するための手段】
【０００６】
請求項１に記載の発明は、略矩形状のパーテイションガラスの周囲に予め閉ループ状に装着された上で、自動車用ドアのウエスト部のチャンネル部とドアサッシュおよびパーテイションサッシュとで囲まれるパーテイションガラス収容部にパーテイションサッシュ未装着状態で嵌め込まれるガスケットタイプのパーテイションウエザーストリップの構造であって、上記チャンネル部に受容されることになる下辺部にはそのチャンネル部の端部に係止される位置決め突起部を下方に向けて形成する一方、上記下辺部の前端部には下面が前方側に向かって上り勾配で傾斜したガイド部を形成するとともに、上記矩形の対角線上においてガイド部と対をなす上部隅部の頂部と当該ガイド部とが上記対角線方向でなす第１の対角線方向距離をパーテイションガラス収容部の有効受容高さ寸法よりも小さく設定し、さらに上記上部隅部の頂部と位置決め突起部の先端とが上記対角線方向でなす第２の対角線方向距離が上記第１の対角線方向距離を越えないように設定してあることを特徴とする。
【０００７】
この場合において、請求項２に記載のように、上記下辺部の前端部には上記ガイド部として下面が前方側に向かって上り勾配で傾斜したガイド面を形成するとともに、上記ガイド面と上部隅部の頂部とがガイド面の直角方向でなす第１の対角線方向距離をパーテイションガラス収容部の有効受容高さ寸法よりも小さく設定し、さらに上記位置決め突起部の先端がガイド面の延長線よりも下方に突出しないように設定してあることが望ましい。
【０００８】
より望ましくは、請求項３に記載のように、上記位置決め突起部の先端がガイド面の延長線上に位置するように設定してあるものとし、さらに請求項４に記載のように、上記位置決め突起部の先端にガイド面と同一平面上に位置することになる角度規制部を形成してあるものとする。
【０００９】
したがって、少なくとも請求項１，２に記載の発明では、パーテイションガラスの周囲にウエザーストリップを予め閉ループ状に装着しておき、ドア本体のウエスト部とサッシュ上辺部との間にパーテイションガラスを斜めにして掛け渡した上で、そのパーテイションガラスを前後方向にスライドさせることで正規組付位置に組み付けようとする場合、ガイド部をチャンネル部に沿わせるようにしてパーテイションガラス全体をスライドさせると、パーテイションガラスの姿勢が安定化してそのパーテイションガラスをスムーズに動かすことができる。そして、位置決め突起部がチャンネル部の端部に係止可能な状態となった時点でパーテイションガラス全体を正立させると、位置決め突起部がチャンネル部の端部に係止するとともに、パーテイションガラスが正規組付位置に組み付けられることになる。
【００１０】
特に請求項３に記載の発明では、位置決め突起部の先端がガイド面の延長線上に位置していて、しかも請求項４に記載の発明では、位置決め突起部の先端にガイド面と同一平面上に位置することになる角度規制部を形成してあることから、それらの位置決め突起部の先端とガイド面とを共にチャンネル部に沿わせるようにして斜めのパーテイションガラスを動かすと、そのパーテイションガラスの傾斜姿勢が一段と安定化するようになる。
【発明の効果】
【００１１】
請求項１，２に記載の発明によれば、パーテイションウエザーストリップ付きのパーテイションガラスを斜めにした状態でスライドさせることで最終的には正規組付位置にパーテイションガラスを組み付けることができるので、パーテイションウエザーストリップに位置決め突起部が形成されていてもパーテイションガラス組付時の作業性が損なわれることがない。
【００１２】
また、請求項３に記載の発明によれば、位置決め突起部の先端がガイド面の延長線上に位置しているため、これらの位置決め突起部およびガイド面の案内効果のためにパーテイションガラスを斜めにした時の姿勢が安定化し、パーテイションガラス組付時の作業性改善に寄与できるほか、パーテイションガラスを正立または起立させるタイミングがわかりやすいため、位置決め突起部をチャンネル部側の端部に係止させやすくなり、特に請求項４に記載の発明のように、位置決め突起部の先端にガイド面と同一平面上に位置することになる角度規制部を形成すると、組付所期段階のパーテイションガラスの傾斜姿勢が安定化して、上記効果が一段と顕著となる。
【発明を実施するための最良の形態】
【００１３】
図１以下の図面は本発明のより具体的な実施の形態を示し、特に図１は本発明に係るパーテイションウエザーストリップを備えた自動車用ドアの一例を、図２は図１の要部拡大図をそれぞれ示している。
【００１４】
図１，２に示すように、ドア１は、ドア本体２の上部側にアーチ状のドアサッシュ３を溶接等にて一体に固定してあるとともに、ドア本体２のウエスト部２ａとドアサッシュ３のサッシュ上辺部３ａとの間にはパーテイションサッシュ４を掛け渡すように配置してある。これらのドア本体２とドアサッシュ３およびパーテイションサッシュ４とをもって前後のガラス収容部５ａ，５ｂが隔離形成されていて、前側のガラス収容部５ａには昇降式ガラス６が昇降可能に、また後側のガラス収容部５ｂには略矩形状をなす定位置固定式のパーテイションガラス７がそれぞれ収容配置される。
【００１５】
パーテイションガラス７の周囲にはガスケットタイプのパーテイションウエザーストリップ（以下、単位「ウエザーストリップ」と言う）８が矩形枠状または閉ループ状に装着されるようになっており、図３〜６に示すようにウエザーストリップ８の上辺部８ａをドアサッシュ３のサッシュ上辺部３ａ側の嵌合溝に、同じくウエザーストリップ８の下辺部８ｄをウエスト部２ａの開口部に予め配置されたチャンネル部９にそれぞれ嵌合保持させる一方、ウエザーストリップ８の後側縦辺部８ｃをサッシュ後側縦辺部３ｃ側の嵌合溝に、同じくウエザーストリップ８の前側縦辺部８ｂをパーテイションサッシュ４の嵌合溝にそれぞれ嵌合保持させることで、パーテイションガラス７の四周がいわゆる嵌め殺し状態をもって堅固に固定支持されている。
【００１６】
ここで、図３，６のほか図７から明らかなように、ウエスト部２ａのチャンネル部９はその側壁部がウエストフランジ部２ｂと重合配置された上で、スポット溶接等にてドア本体２を形成しているドアパネルに予め固定されている。そして、そのチャンネル部９の底壁部から切り起こされたフランジ部９ａをもってウエザーストリップ８の下辺部８ｄを規制している。また、ドア本体２のウエスト部２ａにはその開口部を隠蔽するようにインサイドシール１０およびアウトサイドシール１１がそれぞれ装着されて、それらのインサイドシール１０およびアウトサイドシール１１はパーテイションガラス７の表裏両面に圧接することになる。なお、符号１２はドアトリムを示している。
【００１７】
上記ウエスト部２ａに予め装着されるチャンネル部９はあくまでウエザーストリップ８付きのパーテイションガラス７の上下方向の位置規制のためのものであり、したがってチャンネル部９は図２に示すようにパーテイションガラス７の前後方向全幅にわたることなく、その前後方向の一部にのみ配置されている。
【００１８】
そして、図２に示すパーテイションガラス７の正規組付状態において、ウエザーストリップ８付きのパーテイションガラス７の前後方向位置を規制するべく、図８に示すように、ウエザーストリップ８の下辺部８ｄには略三角形状の位置決め突起部１３を下方に向けて一体に形成してあり、この位置決め突起部１３をチャンネル部９の後端縁に係止させてある。
【００１９】
また、上記のようなウエザーストリップ８付きのパーテイションガラス７をドア２の正規組付位置に組み付ける際には、後述するようにチャンネル部９と位置決め突起部１３との干渉を回避するために、パーテイションガラス７が前傾姿勢となるように斜めにしてウエスト部２ａとサッシュ上辺部３ａとの間に掛け渡した上で、これをその斜めの姿勢のまま後方側にスライドさせ、スライド方向の最奥部にてパーテイションガラス７を後方側揺動または回転させるようにして正立または起立させることでパーテイションガラス７用のガラス収容部５ｂに対するその組み付けが行われる（図９参照）。
【００２０】
そこで、このようなパーテイションガラス７の組付作業性を考慮して、図８に示すように、ウエザーストリップ８の下辺部８ｄの前端部には、ガイド部として下面が前方側に向かって上り勾配で傾斜した斜状のガイド面１４を形成してある。
【００２１】
さらに、図８，９に示すように、ウエザーストリップ８付きの略矩形状をなすパーテイションガラス７の対角線上において上記ガイド面１４と対をなすウエザーストリップ８の上部隅部の頂部１５と当該ガイド面１４とが上記対角線方向でなす距離を第１の対角線方向距離Ｌ１とした場合に、この第１の対角線方向距離Ｌ１が図２，３に示すパーテイションガラス７用のガラス収容部５ｂの有効受容高さ寸法Ｌ２よりも小さくなるように予め設定してある（Ｌ１＜Ｌ２）。ここに言うパーテイションガラス７用のガラス収容部５ｂの有効受容高さ寸法Ｌ２とは、図３に示すようにウエザーストリップ８の下辺部８ｄを受容することになるドアウエスト部２ａ側のチャンネル部９の内底面とドアサッシュ３におけるサッシュ上辺部３ａの嵌合溝の内底面とのなす寸法Ｌ２を指している。
【００２２】
その上で、図８に示すように、上記上部隅部の頂部１５と位置決め突起部１３の先端とが上記対角線方向でなす距離を第２の対角線方向距離Ｌ１１とした場合、この第２の対角線方向距離Ｌ１１が上記第１の対角線方向距離Ｌ１を越えないように、例えばＬ１＝Ｌ１１となるように予め設定してある。
【００２３】
言い換えるならば、上記ガイド面１４を平坦面として形成してある場合には、上記ガイド面１４と上部隅部の頂部１５とがガイド面１４の直角方向でなす距離が第１の対角線方向距離Ｌ１にほかならず、この第１の対角線方向距離Ｌ１をパーテイションガラス７用のガラス収容部５ｂの有効受容高さ寸法Ｌ２よりも予め小さく設定してあるとともに、図８に示すように上記位置決め突起部１３の先端がガイド面１４の延長線上に位置するように設定してある。
【００２４】
したがって、このようなウエザーストリップ８の構造によれば、パーテイションガラス７単体の状態でその周囲に予めウエザーストリップ８を枠状または閉ループ状に予め装着しておき、そのウエザーストリップ８付きのパーテイションガラス７をドア２のパーテイションガラス７用のガラス収容部５ｂに組み付けることになる。
【００２５】
このパーテイションガラス７の組み付けに際しては、図９の（Ａ）に示すように、パーテイションサッシュ４が組み付けられていない状態で、パーテイションガラス７が前傾姿勢となるように傾斜させた上でその傾斜姿勢のままでドア本体２のウエスト部２ａ側の開口部とドアサッシュ３のサッシュ上辺部３ａとの間に掛け渡す。そして、図９の（Ｂ）に示すように位置決め突起部１３の先端およびガイド面１４の一部をチャンネル部９上で滑らせるようにしてその傾斜姿勢のパーテイションガラス７を後方側にスライドさせる。以上のようにパーテイションガラス７のスライド動作の中間段階で突起部１３の先端とガイド面１４の両方がチャンネル部９の内底面に接触するため、姿勢が安定する。そして、図１０の（Ａ）に示すように、パーテイションガラス７のスライド動作の末期段階として、スライドさせたパーテイションガラス７のガイド面１４の全体がチャンネル部９の位置に達したならば、図１１に示すようにガイド面１４をチャンネル部９の内底面に積極的に接触させて、ガイド面１４をチャンネル部９上で滑らせるようにしてそのチャンネル部９をガイドとしてウエザーストリップ８付きのパーテイションガラス７をさらに後方側にスライドさせる。
【００２６】
この時、先に述べた第１の対角線方向距離Ｌ１がガラス収容部５ｂの有効受容高さ寸法Ｌ２よりも予め小さくなるように設定してあるため、チャンネル部９の内底面上をガイド面１４が滑るようにパーテイションガラス７全体を後方側にスライドさせる際には、図１２に示すようにウエザーストリップ８の上部隅部１５とサッシュ上辺部３ａの嵌合溝の内底面との間に所定の隙間Ｇが確保されるため、パーテイションガラス７をスムーズに後方側にスライドさせることが可能となる。しかも、先に述べたように位置決め突起部１３の先端がガイド面１４の延長線上に位置するように予め設定してあるため、上記のようなウエザーストリップ８付きのパーテイションガラス７の傾斜姿勢においても位置決め突起部１３の先端はガイド面１４と同じレベル（高さ位置）にあり、したがって位置決め突起部１３もまたチャンネル部９と何ら干渉することなくそのチャンネル部９を無理なく乗り越えることができる。
【００２７】
図１０の（Ａ）に示すように、ウエザーストリップ８付きのパーテイションガラス７がある程度後方側までスライドすると、位置決め突起部１３はチャンネル部９を完全に乗り越えることになることから、この状態となった時点でパーテイションガラス７を同図の時計回り方向に徐々に揺動または回転させて正立または起立状態とする。これにより、図３〜６のほか図１０の（Ｂ）に示すように、位置決め突起部１３がチャンネル部９の後端に自律的に係止する一方で、ウエザーストリップ８の上辺部８がサッシュ上辺部３ａの嵌合溝に、同じくウエザーストリップ８の後側縦辺部８ｃがサッシュ後側縦辺部３ｃの嵌合溝にそれぞれ嵌合して、ウエザーストリップ８付きのパーテイションガラス７はガラス収容部ｂでの正規組付位置に納まることになる。
【００２８】
この状態では、ウエザーストリップ８付きのパーテイションガラス７の上下方向および前後方向での位置決めがなされていることとなり、図１，２に示すように最後にパーテイションサッシュ４をドア本体２におけるウエスト部２ａの開口部とサッシュ上辺部３ａ間に掛け渡すようにして固定することでウエザーストリップ８付きのパーテイションガラス７の組み付けが完了する。
【００２９】
このように本実施に形態によれば、ウエザーストリップ８に位置決め突起部１３が一体に形成されてはいても、それが障害となることなくウエザーストリップ８付きのパーテイションガラス７をスムーズに組み付けることが可能となる。
【００３０】
ここで、上記実施の形態では、チャンネル部９の端部にウエザーストリップ８側の位置決め突起部１３を係止させるようにしているが、例えばチャンネル部９を図２および図９，１０のものより後方側にまで延長する一方で、そのチャンネル部９の底壁に位置決め穴を形成し、その位置決め穴に対して上記位置決め突起部１３を係合または係止させるようにしても同様の機能が得られることになる。
【００３１】
また、位置決め突起部１３の先端がガイド面１４の延長線より上方に位置する場合でも、パーテイションガラス７のスライド動作の中間段階（図９の（Ｂ）相当）の姿勢が若干安定しなくなるが、それ以外は同様の機能が得られることになる。
【００３２】
さらにまた、図１３に示すようにガイド面１４が形成されたコーナー部において、閉ループ状のウエザーストリップ８の内隅部８ｅ側では必ずしも図８のような傾斜面とすることなく、いわゆるストレート形状としても良い。
【００３３】
図１４，１５は本発明の第２の実施の形態を示す図であり、先の第１の実施の形態と共通する部分には同一符号を付してある。
【００３４】
この第２の実施の形態では、図８と比較すると明らかなように、ウエザーストリップ８の下辺部８ｄに突出形成された位置決め突起部１３を大型化してブロック状のものとする一方、その先端の傾斜した平坦面をもって角度規制部１６とし、この角度規制部１６がガイド面１４の延長線上において当該ガイド面１４と整合・一致するように、言い換えるならば傾斜面である角度規制部１６がガイド面１４と同一平面上に位置するように設定してある。
【００３５】
したがって、この第２の実施の形態によれば、図９と同様にウエザーストリップ８付きのパーテイションガラス７を傾けた状態で後方にスライドさせて組み付けるにあたり、位置決め突起部１３の先端の角度規制部１６はガイド面１４と面一状態をなす平坦面となっているため、ウエザーストリップ８付きのパーテイションガラス７をチャンネル部９に沿って後方にスライドさせる際に、その初期段階ではチャンネル部９の内底面上で角度規制部１６を滑らせるようにしてパーテイションガラス７をスライドさせ、またスライド動作の末期段階ではチャンネル部９の内底面上でガイド面１４を滑らせるようにしてパーテイションガラス７をスライドさせる。こうすることにより、パーテイションガラス７のスライド動作の初期段階であるか末期段階であるかにかかわらず傾斜姿勢のパーテイションガラス７の角度が安定化し、パーテイションガラス７の組付性が一段と良好なものとなる。
【図面の簡単な説明】
【００３６】
【図１】本発明の第１の実施の形態として本発明に係るパーテイションウエザーストリップを備えた自動車用ドアの側面説明図。
【図２】図１の要部拡大図。
【図３】図２のＡ−Ａ線に沿う拡大断面図。
【図４】図２のＢ−Ｂ線に沿う拡大断面図。
【図５】図２のＣ−Ｃ線に沿う拡大断面図。
【図６】図２のＤ−Ｄ線に沿う拡大断面図。
【図７】図２，３に示すチャンネル部の要部斜視図。
【図８】図２に示すパーテイションウエザーストリップの要部拡大図。
【図９】図２に示すパーテイションウエザーストリップを備えたパーテイションガラスの初期段階から中間段階の組付手順を示す説明図。
【図１０】図２に示すパーテイションウエザーストリップを備えたパーテイションガラスの中間段階から末期段階の組付手順を示す説明図。
【図１１】図９の（Ａ）の要部拡大説明図。
【図１２】図９の（Ｂ）のＥ−Ｅ線に沿う拡大断面図。
【図１３】図８の変形例を示す説明図。
【図１４】本発明に係るパーテイションウエザーストリップの第２の実施の形態を示す説明図。
【図１５】図１４に示すパーテイションウエザーストリップを備えたパーテイションガラスの組付手順を示す説明図。
【符号の説明】
【００３７】
１…ドア
２…ドア本体
３…ドアサッシュ
４…パーテイションサッシュ
５ａ…ガラス収容部
５ｂ…ガラス収容部
７…パーテイションガラス
８…パーテイションウエザーストリップ
８ａ…上辺部
８ｂ…前側縦辺部
８ｃ…後側縦辺部
８ｄ…下辺部
９…チャンネル部
１３…位置決め突起部
１４…ガイド面（ガイド部）
１５…上部隅部の頂部
１６…角度規制部
【図１】
2008110672.tif 000003
【図２】
2008110672.tif 000004
【図３】
2008110672.tif 000005
【図４】
2008110672.tif 000006
【図５】
2008110672.tif 000007
【図６】
2008110672.tif 000008
【図７】
2008110672.tif 000009
【図８】
2008110672.tif 000010
【図９】
2008110672.tif 000011
【図１０】
2008110672.tif 000012
【図１１】
2008110672.tif 000013
【図１２】
2008110672.tif 000014
【図１３】
2008110672.tif 000015
【図１４】
2008110672.tif 000016
【図１５】
2008110672.tif 000017